【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
ユーザが指を接触させて操作する接触操作部上における、該ユーザの指の接触面積を検出する接触面積検出部と、
それぞれ異なる複数の接触面積と該各接触面積に対応する動作を示す情報とが、それぞれ関連付けされて記憶された接触面積対応動作テーブルと、
各種動作に対応するプログラムが記憶された動作プログラムメモリと、
上記接触面積検出部で検出された上記接触面積に対応する上記動作を示す情報を上記接触面積対応動作テーブルから検出し、上記動作を示す情報で示されるプログラムを、上記動作プログラムメモリから読み出して実行制御する制御部と
を有する入力処理装置。
【請求項２】
それぞれ異なる複数の接触面積と該各接触面積に対応する拡大率を示す拡大率情報、及び／又は、該各接触面積に対応する縮小率を示す縮小率情報とが、それぞれ関連付けされて記憶された拡大率／縮小率テーブルを有し、
上記動作プログラムメモリには、表示部に表示する表示物の拡大処理及び縮小処理を行うための拡大／縮小処理プログラムが記憶されており、
上記制御部は、上記表示部に対して表示物を表示した際に、当該表示物の拡大表示処理を指定するための拡大指定情報、及び／又は、当該表示物の縮小表示処理を指定するための縮小指定情報を上記表示部に表示し、ユーザにより、上記拡大指定情報に基づいて拡大表示処理が指定された場合、上記拡大／縮小処理プログラムに基づいて、上記接触面積検出部で検出された上記ユーザの指の接触面積に対応する上記拡大率情報を、上記拡大率／縮小率テーブルから読み出し、この拡大率情報で示される拡大率で上記表示物を上記表示部に表示制御し、或いはユーザにより、上記縮小指定情報に基づいて縮小表示処理が指定された場合、上記拡大／縮小処理プログラムに基づいて、上記接触面積検出部で検出された上記ユーザの指の接触面積に対応する上記縮小率情報を、上記拡大率／縮小率テーブルから読み出し、この縮小率情報で示される縮小率で上記表示物を上記表示部に表示制御する
請求項１に記載の入力処理装置。
【請求項３】
基準となる大きさの上記接触面積である基準面積、及びこの基準面積に対応する拡大率を示す情報と、上記基準面積よりも大きな、少なくとも一つの接触面積、及び上記基準面積よりも大きな接触面積に対応する拡大率を示す情報と、上記基準面積よりも小さな、少なくとも一つの接触面積、及び上記基準面積よりも小さな接触面積に対応する縮小率を示す情報とが、それぞれ関連付けされて記憶された拡大率／縮小率テーブルとを有し、
上記動作プログラムメモリには、表示部に表示する表示物の拡大処理及び縮小処理を行うための拡大／縮小処理プログラムが記憶されており、
上記制御部は、上記表示部に対して表示物を表示した際に、上記接触面積検出部で上記ユーザの指の接触面積が検出された場合、上記拡大／縮小処理プログラムに基づいて、上記検出された接触面積の大きさに対応する上記拡大率を示す情報、或いは上記縮小率を示す情報を上記拡大率／縮小率テーブルから読み出し、この拡大率を示す情報で示される拡大率、或いはこの縮小率を示す情報で示される縮小率で上記表示物を上記表示部に表示制御する
請求項１に記載の入力処理装置。
【請求項４】
上記制御部は、上記表示物を縮小して上記表示部に表示制御した際に、該表示部に余領域が形成された場合、上記動作プログラムメモリに記憶されている各種動作のプログラムに対応する機能メニューを上記余領域に表示し、ユーザにより、操作部を介して所望の機能メニュー項目が選択操作された際に、この選択された機能メニュー項目に対応する動作のプログラムを、上記動作プログラムメモリから読み出して実行制御する
請求項２又は請求項３に記載の入力処理装置。
【請求項５】
ユーザが指を接触させて操作する接触操作部上における該ユーザの指の接触面積を、接触面積検出部が検出する接触面積検出ステップと、
それぞれ異なる複数の接触面積と該各接触面積に対応する動作を示す情報とが、それぞれ関連付けされて記憶された接触面積対応動作テーブルから、制御部が、上記接触面積検出ステップで検出された上記接触面積に対応する上記動作を示す情報を検出する動作検出ステップと、
上記動作検出ステップで検出された上記接触面積に対応する動作を示す情報のプログラムを、制御部が、各種動作に対応するプログラムが記憶された動作プログラムメモリから読み出して実行制御する制御ステップと
を有する入力処理方法。
【請求項６】
ユーザが指を接触させて操作する接触操作部上における該ユーザの指の接触面積を検出するように接触面積検出部を制御する接触面積検出制御部としてコンピュータを機能させ、
それぞれ異なる複数の接触面積と該各接触面積に対応する各動作を示す情報とが、それぞれ関連付けされて記憶された接触面積対応動作テーブルから、上記コンピュータを上記接触面積検出制御部として機能させることで検出された上記接触面積に対応する動作示す情報を検出するように制御部を制御する接触面積対応動作検出部として上記コンピュータを機能させ、
上記コンピュータを上記接触面積対応動作検出部として機能させることで検出された上記接触面積に対応する動作を示す情報で示されるプログラムを、各種動作に対応するプログラムが記憶された動作プログラムメモリから読み出して実行制御するように制御部を制御するプログラム実行制御部としてコンピュータを機能させる
入力処理プログラム。
【請求項７】
上記表示部に対して表示物を表示した際に、当該表示物の拡大表示処理を指定するための拡大指定情報、及び／又は、当該表示物の縮小表示処理を指定するための縮小指定情報を上記表示部に表示するように上記制御部を制御する指定情報表示制御部としてコンピュータを機能させ、
上記コンピュータを上記指定情報表示制御部として機能させることで、上記表示部に表示された上記拡大指定情報に基づいて、ユーザにより拡大表示処理が指定された場合、上記コンピュータを上記接触面積検出制御部として機能させることで検出された上記ユーザの指の接触面積に対応する拡大率情報を、それぞれ異なる複数の接触面積と該各接触面積に対応する拡大率を示す拡大率情報とが、それぞれ関連付けされて記憶された拡大率テーブルから読み出し、この拡大率情報で示される拡大率で上記表示物を上記表示部に表示制御するように上記制御部を制御する拡大表示制御部として上記コンピュータを機能させ、及び／又は、上記コンピュータを上記指定情報表示制御部として機能させることで、上記表示部に表示された上記縮小指定情報に基づいて、ユーザにより縮小表示処理が指定された場合、上記コンピュータを上記接触面積検出制御部として機能させることで検出された上記ユーザの指の接触面積に対応する縮小率情報を、それぞれ異なる複数の接触面積と該各接触面積に対応する縮小率を示す縮小率情報とが、それぞれ関連付けされて記憶された縮小率テーブルから読み出し、この縮小率情報で示される縮小率で上記表示物を上記表示部に表示制御するように上記制御部を制御する縮小表示制御部として上記コンピュータを機能させる
請求項６に記載の入力処理プログラム。
【請求項８】
上記表示部に対して表示物を表示した際に、上記コンピュータを上記接触面積検出制御部として機能させることで上記ユーザの指の接触面積が検出された場合、上記検出された接触面積の大きさに対応する上記拡大率を示す情報、或いは上記縮小率を示す情報を、基準となる大きさの上記接触面積である基準面積、及びこの基準面積に対応する拡大率を示す情報と、上記基準面積よりも大きな、少なくとも一つの接触面積、及び上記基準面積よりも大きな接触面積に対応する拡大率を示す情報と、上記基準面積よりも小さな、少なくとも一つの接触面積、及び上記基準面積よりも小さな接触面積に対応する縮小率を示す情報とが、それぞれ関連付けされて記憶された拡大率／縮小率テーブルから読み出すように上記制御部を制御する拡大率／縮小率検出部として上記コンピュータを機能させ、
上記コンピュータを上記拡大率／縮小率検出部として機能させることで上記拡大率／縮小率テーブルから読み出された上記拡大率を示す情報で示される拡大率、或いは上記縮小率を示す情報で示される縮小率で上記表示物を上記表示部に表示制御するように上記制御部を制御する拡大／縮小表示制御部として上記コンピュータを機能させる
請求項６に記載の入力処理プログラム。
【請求項９】
ユーザが指を接触させて操作する接触操作部と、
上記接触操作部上における、該ユーザの指の接触面積を検出する接触面積検出部と、
それぞれ異なる複数の接触面積と該各接触面積に対応する各種動作を示す情報とが、それぞれ関連付けされて記憶された接触面積対応動作テーブルと、
各種動作に対応するプログラムが記憶された動作プログラムメモリと、
上記接触面積検出部で検出された上記接触面積に対応する上記動作を示す情報を上記接触面積対応動作テーブルから検出し、上記動作を示す情報で示されるプログラムを、上記動作プログラムメモリから読み出して実行制御する制御部と
を有する携帯端末装置。
【請求項１０】
所定の表示物を表示するための表示部と、
それぞれ異なる複数の接触面積と該各接触面積に対応する拡大率を示す拡大率情報、及び／又は、該各接触面積に対応する縮小率を示す縮小率情報とが、それぞれ関連付けされて記憶された拡大率／縮小率テーブルとを有し、
上記動作プログラムメモリには、上記表示部に表示する表示物の拡大処理及び縮小処理を行うための拡大／縮小処理プログラムが記憶されており、
上記制御部は、上記表示部に対して表示物を表示した際に、当該表示物の拡大表示処理を指定するための拡大指定情報、及び／又は、当該表示物の縮小表示処理を指定するための縮小指定情報を上記表示部に表示し、ユーザにより、上記拡大指定情報に基づいて拡大表示処理が指定された場合、上記拡大／縮小処理プログラムに基づいて、上記接触面積検出部で検出された上記ユーザの指の接触面積に対応する上記拡大率情報を、上記拡大率／縮小率テーブルから読み出し、この拡大率情報で示される拡大率で上記表示物を上記表示部に表示制御し、或いはユーザにより、上記縮小指定情報に基づいて縮小表示処理が指定された場合、上記拡大／縮小処理プログラムに基づいて、上記接触面積検出部で検出された上記ユーザの指の接触面積に対応する上記縮小率情報を、上記拡大率／縮小率テーブルから読み出し、この縮小率情報で示される縮小率で上記表示物を上記表示部に表示制御する
請求項９に記載の携帯端末装置。
【請求項１１】
基準となる大きさの上記接触面積である基準面積、及びこの基準面積に対応する拡大率を示す情報と、上記基準面積よりも大きな、少なくとも一つの接触面積、及び上記基準面積よりも大きな接触面積に対応する拡大率を示す情報と、上記基準面積よりも小さな、少なくとも一つの接触面積、及び上記基準面積よりも小さな接触面積に対応する縮小率を示す情報とが、それぞれ関連付けされて記憶された拡大率／縮小率テーブルとを有し、
上記動作プログラムメモリには、表示部に表示する表示物の拡大処理及び縮小処理を行うための拡大／縮小処理プログラムが記憶されており、
上記制御部は、上記表示部に対して表示物を表示した際に、上記接触面積検出部で上記ユーザの指の接触面積が検出された場合、上記拡大／縮小処理プログラムに基づいて、上記検出された接触面積の大きさに対応する上記拡大率を示す情報、或いは上記縮小率を示す情報を上記拡大率／縮小率テーブルから読み出し、この拡大率を示す情報で示される拡大率、或いはこの縮小率を示す情報で示される縮小率で上記表示物を上記表示部に表示制御する
請求項９に記載の携帯端末装置。
【手続補正２】
【補正対象書類名】明細書
【補正対象項目名】０００９
【補正方法】変更
【補正の内容】
【０００９】
本発明に係る入力処理装置は、上述の課題を解決するために、
ユーザが指を接触させて操作する接触操作部上における、該ユーザの指の接触面積を検出する接触面積検出部と、
それぞれ異なる複数の接触面積と該各接触面積に対応する動作を示す情報とが、それぞれ関連付けされて記憶された接触面積対応動作テーブルと、
各種動作に対応するプログラムが記憶された動作プログラムメモリと、
上記接触面積検出部で検出された上記接触面積に対応する上記動作を示す情報を上記接触面積対応動作テーブルから検出し、上記動作を示す情報で示されるプログラムを、上記動作プログラムメモリから読み出して実行制御する制御部と
を有する。
【手続補正３】
【補正対象書類名】明細書
【補正対象項目名】００１０
【補正方法】変更
【補正の内容】
【００１０】
このような入力処理装置は、それぞれ異なる複数の接触面積と該各接触面積に対応する各種動作を示す情報とが、それぞれ関連付けされて接触面積対応動作テーブルに記憶されている。ユーザが指を接触操作部に接触させると、このユーザの指の接触面積を検出し、この接触面積に対応する動作を示す情報を、上記接触面積対応動作テーブルから読み出す。
【手続補正４】
【補正対象書類名】明細書
【補正対象項目名】００１１
【補正方法】変更
【補正の内容】
【００１１】
そして、上記動作を示す情報で示されるプログラムを、動作プログラムメモリから読み出して実行制御する。
【手続補正５】
【補正対象書類名】明細書
【補正対象項目名】００１２
【補正方法】変更
【補正の内容】
【００１２】
本発明は、ユーザが指を接触操作部に接触させる一度の操作のみで、その接触面積に対応する所望の動作を実行することができる。